(57)【要約】      （修正有）【課題】スクラップ、廃材、土石砂、穀物及び液体等の運搬処理等に於いてネジ軸ナットをかさ歯車を介して安全に処理できるスクラップ台車を提供する。【解決手段】バケット１と台車４が軸受ブラケット及び軸受により一体化されており回転支点軸を回転中心としてハンドルによりかさ歯車及びネジ軸の回転によりネジ軸受回転アームでバケット１を回転させて運搬物をとりだす。【選択図】図３
0003161222.tif 000002
【実用新案登録請求の範囲】
【請求項１】
本考察はスクラップ台車において、
（１）運搬物の規定重さに以内での作業を、従来の重労力より解放し且つ安全に作業するのにネジ軸、ナットとかさ歯車を介してハンドル操作で回転を与え、安全とした作業が可能となり得るよう自由な角度位置での取り出しを容易とした。
（２）作業終了後又は不必要時の保管に際してハンドルの突起部が通行の障害にならぬよう折り込み方式を採用していること、
以上から成る事の作業を容易にならしめる事を特徴としている簡易ネジ式スクラップ台車。
【考案の詳細な説明】
【考案の詳細な説明】
【技術分野】
【０００１】  本考察はスクラップ、廃材、土石砂、穀物及び液体等の運搬処理等に於いてネジ軸ナットをかさ歯車を介して安全に処理できるスクラップ台車。
【背景技術】
【０００２】  従来の運搬処理では、主にパケットと台車が個別、又は単純作業な一体形が一般的であって、その都度労力を不安定が伴い乗せ変えや搬出作業が行われることが一般的である。
【考案の開示】
【考案が解決しようとする課題】
【０００３】  従来の運搬搬出のあり方では安全性と労力が必要以上負担となり、その上搬出時の重さやバランスの不安定且つ疲労を伴う危険度が高くなるという問題点がある。【０００４】  従来では搬出の際の瞬間的に行われている事が多いため、そのタイミングが問題となり、特に高齢者ではそのリスクが非常に高くなる欠点を解決するためである。
【考案が解決しようとする手段】
【０００５】  本考案はバケットと台車を取外し可能な１体形として、ネジ軸及びかさ歯車によるハンドル操作により回転支点軸を中心に回転搬出するものであり、ハンドル操作により無理なく安全に徐々に搬出することを主眼として従来の問題点を解決しようとし、且つ必要によりフォークリフトにての運搬可能としたフォーク差込口を設けて運搬の多様性を設けている。
【０００６】  本考案は回転の円滑化を図るためにハンドル回転時の重さを軽減できるよう下部に回転中心を設け、回転と同時に重量のバランスを取れた排出が出来るように回転支持軸位置を排出と同時に回転方向に負荷されるような位置として問題点の解決をしている。
【考案の効果】
【０００７】  上述の如く重心位置を考慮して回転状態を完全に操作できるように、且つ不必要な労力をなくし、安定した操作効果を高めることにある。
【考案を実施するための最良の形態】
【０００８】  ハンドル操作により高齢者でも無理なく労力をひつようとせずに取り出し作業が行なえて自由な傾斜位置での停止ができ、且つパケットと台車が分離が簡単に行われることにある。
【実施例】
【０００９】  以下添付図面に従って一実施例を説明する。１は鋼製で軽量化の溶接構造のバケット、台車４に前部パレット受５を取り付け、バケット１の回転支点軸３にて支持され、支軸受６及び７により一体化され作業待機状態にあるクランクハンドル２１の回転によりかさ歯車１３からネジ軸１５に連動してバケット１を回転させて搬出し台車４後部に直接バケット受け構造を有したストッパーにより停止取り出し作業を行なう。この様にネジ軸回転により衝撃や不安定な回転等を発生することのない構造を有して作業環境を重視したものである。
【産業上の利用可能性】
【００１０】本考案は今後搬送供給に於いて固形物はもちろんのこと、液体等のあらゆる分野の工業関係のラインの一つとして利用価値が高く認められて作業環境の改造に役立つものとして、広く使用されることにある。
【図面の簡単な説明】
【００１１】
【図１】  平面図
【図２】  正面図
【図３】  側面図
【図４】  回転部平面詳細図
【図５】  回転部側面詳細図
【図６】  回転部左側面詳細図
【符号の説明】
【００１２】１．バケット
２．取手
３．回転支点軸
４．台車
５．前部バケット受
６．軸受ブラケット
７．軸受
８．補助プレート
９．ネジ軸受回転アーム
１０．かさ歯車支持ブロック
１１．かさ歯車支持プレート（１）
１２．かさ歯車支持プレート（２）
１３．かさ歯車
１４．かさ歯車軸
１５．ネジ軸
１６．ネジ軸ナットブロック
１７．支持ブロック
１８．ナットブロック支持ピン
１９．支持ブロックピン
２０．補助プレート接続ピン
２１．ハンドル
２２．止め金
２３．ブレーキ付自在車
２４．固定車
【図１】
0003161222.tif 000003
【図２】
0003161222.tif 000004
【図３】
0003161222.tif 000005
【図４】
0003161222.tif 000006
【図５】
0003161222.tif 000007
【図６】
0003161222.tif 000008
【手続補正書】
【提出日】平成21年12月4日(2009.12.4)
【手続補正１】
【補正対象書類名】図面
【補正対象項目名】全図
【補正方法】変更
【補正の内容】
【図１】
0003161222.tif 000009
【図２】
0003161222.tif 000010
【図３】
0003161222.tif 000011
【図４】
0003161222.tif 000012
【図５】
0003161222.tif 000013
【図６】
0003161222.tif 000014
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
（１）運搬物の規定重さ以内での作業を、従来の重労力より解放し且つ安全に作業するのにネジ軸、ネジ軸ナットブロックとかさ歯車を介してハンドル操作で回転を与え、水平位置より台車の後部傾斜面までの止まり位置までの間止めたい位置でハンドル止め安全に作業が可能となり得るよう自由な位置での取出を容易とし、（２）作業終了後又は不必要な時の保管に際してハンドルを突起部が通行の障害にならぬよう折り込み方式に採用して、以上から作業環境を容易にならしめる事を特徴とした簡易ネジ式スクラップ台車。
【手続補正書】
【提出日】平成22年4月30日(2010.4.30)
【手続補正１】
【補正対象書類名】実用新案登録請求の範囲
【補正対象項目名】全文
【補正方法】変更
【補正の内容】
【実用新案登録請求の範囲】
【請求項１】
（１）補助プレートにて支持されるかさ歯車を固定したかさ歯車軸の一端にハンドルを取り付け、このかさ歯車と直交するもう１つのかさ歯車を固定されたネジ軸をかさ歯車支持ブロックにて支持し、支持ブロックピンを補助プレートにて支持し首振り振動を可能とし、そしてネジ軸に取り付けられるネジ軸ナットブロック及び支持ブロックは、軸受ブラケットにより支持されたバケットを固定した回転支点軸の一端にネジ軸回転アームを固定し、その先端は支持ブロックとナットブロック支持ピンに接続して回転が得られる構造とし、ハンドルを入力により回転を与えかさ歯車を回転し、ネジ軸の回転によりネジ軸ナットブロック及び支持ブロックの移動によりネジ軸回転アームが回転してバケットを前部バケット受より台車の端まで回転して停止し内容物を除去し、内容に応じてこの作業の間に停止したい場合はハンドル操作を中断して自由位置にて停止して内容物を取り出すことを容易とし、
（２）作業終了後又は不必要な時の保管に際してハンドルを突起部が通行の障害にならぬよう折り込み方式に採用して、
以上から作業環境を容易にならしめる事を特徴とした簡易ネジ式スクラップ台車。